(57)【要約】【課題】相手ハウジングの摩耗を抑制でき、また、環状溝からのはみ出しを防止でき、シールリングの本来の目的である低リーク性に優れたシールリングを提供する。 【解決手段】シールリング１は、略円板状のバタフライバルブ１１の外周に設けられた環状溝１２に装着されて、バタフライバルブ１１と該バルブが収容されるハウジング１３との間の環状隙間１４を封止するための樹脂製のシールリングである。シールリング１は、環状溝１２から一部突出し、封止流体の圧力によりハウジング１３と密着して環状隙間１４を封止しており、リングの径方向厚みｔが、自由状態のリング外径の７％〜１１％であり、バルブの開放時において封止流体の圧力により拡径された状態のリング内径が、バルブの外径ｒよりも小さくなっている。【選択図】図３
2019168012.tif 000002
【特許請求の範囲】
【請求項１】
略円板状のバタフライバルブの外周に設けられた環状溝に装着されて、該バルブと該バルブが収容されるハウジングとの間の隙間を封止するための樹脂製のシールリングであって、
該シールリングは、前記バルブの閉鎖時において、前記環状溝から一部突出し、封止流体の圧力により前記ハウジングと密着して前記隙間を封止しており、
リングの径方向厚みが、自由状態のリング外径の７％〜１１％であり、前記バルブの開放時において前記封止流体の圧力により拡径された状態のリング内径が、前記バルブの外径よりも小さいことを特徴とするシールリング。
【請求項２】
前記シールリングのリング内径面の少なくとも一部に、リングの径方向厚みを薄くする肉ぬすみ部を有することを特徴とする請求項１記載のシールリング。
【請求項３】
前記シールリングの合い口が、複合ステップ形状の合い口であることを特徴とする請求項１または請求項２記載のシールリング。
【請求項４】
前記シールリングを形成する樹脂が、ポリエーテルエーテルケトン樹脂、ポリアミドイミド樹脂、またはポリフェニレンスルフィド樹脂であることを特徴とする請求項１から請求項３までのいずれか１項記載のシールリング。
【請求項５】
前記バタフライバルブは、内燃機関の排気再循環システムの制御弁に用いられることを特徴とする請求項１から請求項４までのいずれか１項記載のシールリング。
【発明の詳細な説明】
【技術分野】
【０００１】
本発明は、排気ガスや油圧作動油などの流体を利用した機器において、該流体をシール（封止）するために使用されるシールリングに関する。
【背景技術】
【０００２】
内燃機関の排気再循環（ＥＧＲ）システムは、排気の一部を吸気系に戻し、混合気が燃焼する時の最高温度を低くしてＮＯｘの生成量を抑える装置である。ＥＧＲバルブは、ＥＧＲ流路（ハウジング）内に回動可能に設けられるバタフライバルブであり、該バルブの開度を調整することで再循環する排気ガスの量がコントロールされる。略円板状のＥＧＲバルブの外周には環状溝が設けられており、この環状溝にシールリングが装着される。
【０００３】
従来、シールリングとして、金属製のシールリングや樹脂製のシールリングが提案されている（特許文献１）。図７には、従来のシールリング（従来品）の平面図およびＡ−Ａ線断面図を示す。図７に示すように、シールリング２１は、断面が略矩形の環状体であり、円周方向の１箇所に合い口を有している。シールリング２１がＥＧＲバルブの環状溝に装着された状態では、リング外周面２２がハウジングの内壁に押し付けられることで、該バルブと該ハウジングとの間の環状隙間をシールする。
【先行技術文献】
【特許文献】
【０００４】
【特許文献１】特開２０１３−２４１８９９号公報
【発明の概要】
【発明が解決しようとする課題】
【０００５】
近年、産業機器では高性能化・省エネルギー化が進み、各種部品にも高精度な設計や耐久性などが求められる。シールリングも良好なシール性を維持しつつ、各性能が向上したものが望まれている。この点、例えば従来の金属製のシールリングの場合、相手部材であるハウジングを傷つけたり、摩耗を早めたりする懸念がある。
【０００６】
一方、樹脂製のシールリングの場合、相手ハウジングの摩耗については比較的良好である。しかし、金属製のシールリングに比べると曲げ弾性率が低いため、ＥＧＲバルブが開いた際に低圧であっても、シールリングが環状溝からはみ出して相手ハウジングとの間に噛み込んでしまうおそれがある。さらには、ＥＧＲバルブが閉じているときには、シールリングに４０ｋＰａ程度の圧力がかかるため、ＥＧＲバルブが開放された際の圧力によって、合い口が拡げられシールリングがＥＧＲバルブから脱落する場合がある。
【０００７】
例えば、図７に示す従来品のシールリング２１（リング外径Φ４０ｍｍ、径方向厚み１．９ｍｍ、リング幅１．７ｍｍ）においては、かかる圧力によってシールリングが拡径し環状溝からはみ出るおそれがある。
【０００８】
本発明はこのような問題に対処するためになされたものであり、相手ハウジングの摩耗を抑制でき、また、環状溝からのはみ出しを防止でき、シールリングの本来の目的である低リーク性に優れたシールリングを提供することを目的とする。
【課題を解決するための手段】
【０００９】
本発明のシールリングは、略円板状のバタフライバルブの外周に設けられた環状溝に装着されて、該バルブと該バルブが収容されるハウジングとの間の隙間を封止するための樹脂製のシールリングであって、該シールリングは、上記バルブの閉鎖時において、上記環状溝から一部突出し、封止流体の圧力により上記ハウジングと密着して上記隙間を封止しており、リングの径方向厚みが、自由状態のリング外径の７％〜１１％であり、上記バルブの開放時において上記封止流体の圧力により拡径された状態のリング内径が、上記バルブの外径よりも小さいことを特徴とする。
【００１０】
上記シールリングのリング内径面の少なくとも一部に、リングの径方向厚みを薄くする肉ぬすみ部を有することを特徴とする。上記シールリングの合い口が、複合ステップ形状の合い口であることを特徴とする。
【００１１】
上記シールリングを形成する樹脂が、ポリエーテルエーテルケトン（ＰＥＥＫ）樹脂、ポリアミドイミド（ＰＡＩ）樹脂、またはポリフェニレンスルフィド（ＰＰＳ）樹脂であることを特徴とする。
【００１２】
上記バタフライバルブは、内燃機関の排気再循環（ＥＧＲ）システムの制御弁に用いられることを特徴とする。
【発明の効果】
【００１３】
本発明のシールリングは、環状溝から一部突出し、封止流体の圧力によりハウジングと密着して隙間を封止しており、リングの径方向厚みが、自由状態のリング外径の７％〜１１％であり、従来品に比べて厚肉となっているので、例えば４０ｋＰａ以上の圧力が発生してもシールリングが過剰に拡がることを抑えられる。また、バルブの開放時において封止流体の圧力により拡径された状態のリング内径が、バルブの外径よりも小さいので、バルブ開放時の拡径状態においても、環状溝から外れることを防止できる。
【００１４】
上記シールリングのリング内径面の少なくとも一部に、リングの径方向厚みを薄くする肉ぬすみ部を有するので、例えば、リングの径方向厚みが、従来のシールリングよりも大きくなっても、環状溝への組み込み性を維持でき、割れを防止できる。
【００１５】
上記シールリングの合い口が、複合ステップ形状の合い口であるので、拡径を可能としつつも、良好なシール性を得ることができる。
【００１６】
シールリングを形成する合成樹脂が、ＰＥＥＫ樹脂、ＰＡＩ樹脂、またはＰＰＳ樹脂であるので、耐摩耗性、シール性、耐熱性、耐久性などに優れる。また、良好な曲げ弾性率が得られるため、環状溝に組み込む際に拡径しても割れることがない。
【００１７】
ＥＧＲシステムにおいてＥＧＲバルブが閉じられた際には、該バルブにかかる圧力が最大で４０ｋＰａ程度となる。上記シールリングは、ＥＧＲシステムの制御弁に用いられるので、最大で４０ｋＰａ程度の圧力がかかっても、該シールリングがバルブから脱落することを防止できる。
【図面の簡単な説明】
【００１８】
【図１】本発明のシールリングの一例を示す斜視図である。
【図２】図１のシールリングの平面図およびＢ−Ｂ線断面図である。
【図３】バルブ閉鎖時における図１のシールリングの状態を示す図である。
【図４】バルブ開放時における図１のシールリング等の状態を示す図である。
【図５】図１のシールリングが環状溝に落ち込んだ状態を示す図である。
【図６】シールリングを拡径させる方法を示す図である。
【図７】従来のシールリングの平面図およびＡ−Ａ線断面図である。
【発明を実施するための形態】
【００１９】
本発明のシールリングの一例を図１〜図３に基づいて説明する。図１はシールリングの斜視図であり、図２は図１のシールリングの平面図およびＢ−Ｂ線断面図であり、図３はバルブ閉鎖時における図１のシールリングの状態を示す図である。本発明のシールリングは、バタフライバルブを用いた制御弁に使用されるものであり、略円板状のバタフライバルブの外周に設けられた環状溝に装着されて、このバルブと、このバルブが収容されるハウジングとの間の隙間を封止するシール部材である。制御弁は、ハウジング内で弁棒を軸として略円板状のバタフライバルブが回動することで、弁の開閉が行われる。この種の制御弁としては、例えば、内燃機関の排気再循環（ＥＧＲ）システムの制御弁（単に「ＥＧＲ制御弁」ともいう）が挙げられる。
【００２０】
図１に示すように、シールリング１は、樹脂組成物の成形体であり、断面が略矩形の環状体である。リング外周面２とリング内周面３は、シールリング１の軸心方向に平行な面である。リング内周面３とリング側面４（両側面）との角部は、直線状、曲線状の面取りが設けられていてもよく、シールリングを射出成形で製造する場合、該部分に金型からの突出し部分となる段部７を設けてもよい。リング内周面３には、リングの径方向厚みが薄くなった肉ぬすみ部５が複数（図２では６箇所）設けられている。肉ぬすみ部５は、周方向に沿ってそれぞれ離間して設けられている。この場合、リング内周面３を構成する段部７に肉ぬすみ部５が周方向に沿ってそれぞれ離間して設けられている。
【００２１】
シールリング１は、一箇所の合い口６を有するカットタイプのリングであり、弾性変形により拡径してバタフライバルブの環状溝に装着される。シールリング１は、外力を受けない自由状態でシール面（ハウジング内壁）よりも僅かに大径に設定されており、バルブ閉鎖時には封止流体の圧力によって、シール面に密着する。合い口６の形状については、ストレートカット形状、アングルカット形状などにすることも可能であるが、封止流体のシール性に優れることから、図１に示す複合ステップカット形状を採用することが好ましい。
【００２２】
図２（ａ）のシールリング１は、自由状態のシールリングを示しており、本発明では、この状態のリング外径をＲ1、リング内径をＲ2とする。リング内径Ｒ2は、対向するリング内周面３間の距離をいう。また、図２（ｂ）に示すように、リングの径方向厚みｔは、リング外周面２からリング内周面３までの距離であり、リング幅ｗは、軸方向において一方のリング側面４から他方のリング側面４までの距離である。シールリング１において、Ｒ1＝Ｒ2＋２ｔの関係が成立している。後述するように、本発明では、リングの径方向厚みｔが外径Ｒ1に対して設定される。
【００２３】
シールリング１のリング幅ｗは、特に限定されないが、０．７ｍｍ〜２．５ｍｍに設定することが好ましい。リング幅ｗが０．７ｍｍより薄い場合、シール性が低下するおそれがあり、リング幅ｗが２．５ｍｍより厚い場合、バタフライバルブを厚くする必要があり、バルブ装置の小型化が困難となる。
【００２４】
図３に示すように、シールリング１は、略円板状のバタフライバルブ１１の外周に設けられた環状溝１２に装着されて、バタフライバルブ１１と、ハウジング１３との間の環状隙間１４を封止している。バタフライバルブ１１は、環状溝形成部１１ａとその軸方向両側のバルブ本体部１１ｂとから構成されている。バルブ本体部１１ｂの外径面１１ｃの径が、バタフライバルブ１１の最大の外径である。本発明では、この径をバタフライバルブ１１の外径ｒとする。また、環状溝１２の深さｄは、外径面１１ｃから溝底までの深さであり、全周にわたり一定である。
【００２５】
バタフライバルブ１１は、ハウジング１３の内部に、弁棒となるシャフト（図示省略）に支持されて回動可能に収容されている。バタフライバルブ１１をハウジング１３の内部で回動させることで、弁が開閉する。シールリング１は、封止流体であるＥＧＲガスにより最大で４０ｋＰａ程度の圧力が掛かっており、この圧力および自身の拡径方向の張力により、環状溝１２から外径側の一部が突出して、ハウジング１３の内壁にリング外周面２が押し付けられて密着している。
【００２６】
また、シールリング１は、環状溝１２内に、半径方向、軸線方向、円周方向に移動可能に装着されており、軸線方向にもクリアランスが僅かに存在する。バルブが閉じているときは、シールリング１は、上記のリング外周面２に加えて、環状溝１２の非密封側の側壁面にリング側面４が押し付けられて密着し、環状隙間１４を封止している。
【００２７】
このようにＥＧＲ制御弁では、バルブが閉じられているときに、ＥＧＲガスの漏れを防止するためにシールリングが設けられている。ＥＧＲ制御弁を通過するＥＧＲガスは、固体状の微粒子不純物が含まれているので、この不純物が環状溝１２内に一部堆積すると、シールリングの環状溝内の移動が困難になったり、拡径状態から自由状態に戻らない等のおそれがある。このため、シールリング内径と溝底との間には所定の隙間が設けられている。該隙間は、シールリングのバルブ全閉時においても十分な隙間を有するように設定されている。
【００２８】
バルブが閉じられた状態からバルブが開くときには、シールリング１は、ハウジング１３による拘束が解放され、上述の封止流体の圧力などにより、合い口６が広がり拡径する。この場合、拡径したシールリングのリング内周面が環状溝１２からはみ出さないことが必要となる。この対策として、シールリングの径方向厚みを厚くすることが考えられるが、厚みを厚くすると拡径可能な最大内径が小さくなるため、その厚さによってはシールリングをバタフライバルブ１１の環状溝１２に組み込むことができないおそれがある。すなわち、環状溝に対するシールリングのはみ出し防止性と組み込み性の両方を満足する必要がある。本発明のシールリングではこれを考慮して、従来品よりも厚肉な所定範囲に厚みを限定している。
【００２９】
シールリング１の径方向厚みｔは、自由状態のリング外径Ｒ1の７％〜１１％に設定している。すなわち、自由状態のリング外径Ｒ1がφ４０ｍｍの場合は、２．８ｍｍ〜４．４ｍｍであり、自由状態のリング外径Ｒ1がφ３５ｍｍの場合は、２．４５ｍｍ〜３．８５ｍｍである。径方向厚みｔが７％より薄い場合、シールリングが環状溝からはみ出すおそれがある。また、径方向厚みｔが１１％より厚い場合、環状溝への組み込み時にシールリングが割れるおそれがある。より好ましくは、シールリングの径方向厚みｔを自由状態のリング外径Ｒ1の８％〜１０％に設定する。なお、本発明のシールリング１の自由状態のリング外径Ｒ1は、任意のサイズにすることができる。
【００３０】
また、本発明のシールリングは、径方向厚みｔの設定に加え、拡径時のリング内径がバルブ寸法と所定の関係になっているため、はみ出し防止性に優れる。バルブが閉じられた状態からバルブが開く際のシールリングのはみ出し性について、図４に基づいて説明する。図４（ａ）は、バルブ開放時の本発明のシールリングの状態を示し、図４（ｂ）は、バルブ開放時の従来品の状態を示している。図４の各シールリングはバルブ開放時において拡径した状態であり、この拡径時のリング外径をＲ1’、この拡径時のリング内径をＲ2’としている。なお、拡径時には、Ｒ1’＝Ｒ2’＋２ｔの関係が成立する。図４に示すようにシールリングの径方向厚みについては、シールリング１の径方向厚みの方が、シールリング２１の径方向厚みよりも大きくなっている。
【００３１】
図４（ｂ）の従来品の場合には、リング内周面２３ａがバタフライバルブ３１の外径面３１ｃよりも径方向外側に位置するため、シールリング２１が環状溝からはみ出るおそれがある。つまり、リング内周面２３ａと外径面３１ｃとの間にクリアランスが生じてしまう。この場合、拡径時のリング内径Ｒ2’が、バルブの外径ｒよりも大きくなっている（Ｒ2’＞ｒ）。
【００３２】
これに対して、図４（ａ）の本発明のシールリング１の場合には、拡径時のリング内径Ｒ2’が、バルブの外径ｒよりも小さくなっている（Ｒ2’＜ｒ）。そのため、リング内周面３ａはバタフライバルブ１１の外径面１１ｃよりも径方向内側、つまり環状溝内に位置するため、シールリング１が環状溝からはみ出ることを防止できる。
【００３３】
バルブが開放され、しばらくすると加圧が解除され拡径していたシールリングが自由状態に戻る。このときのバタフライバルブ１１に対するシールリングの状態を図５に示す。図５に示すように、加圧解除時のシールリングは環状溝の溝底に落ち込んだ状態となり、該溝底の対向側のリング内周面３ａがバタフライバルブ１１の外径面１１ｃよりも径方向外側に位置しやくなる。本発明のシールリングは、自由状態のリング内径Ｒ2が、バルブの外径ｒから環状溝の深さｄを引いた値（ｒ−ｄ）よりも小さくなっているため（Ｒ2＜ｒ−ｄ）、シールリング１は環状溝内に留まり、加圧解除においてもシールリングが環状溝からはみ出ることを防止できる。
【００３４】
本発明のシールリングは、上述のとおり樹脂組成物の成形体である。使用できる合成樹脂としては、例えば、熱硬化性ポリイミド樹脂、熱可塑性ポリイミド樹脂、ポリエーテルケトンエーテルケトンケトン（ＰＥＫＥＫＫ）樹脂、ポリエーテルケトン（ＰＥＫ）樹脂、ＰＥＥＫ樹脂、全芳香族ポリエステル樹脂、ポリテトラフルオロエチレン（ＰＴＦＥ）樹脂などのフッ素樹脂、ＰＰＳ樹脂、ＰＡＩ樹脂、ポリアミド（ＰＡ）樹脂などが挙げられる。なお、これらの樹脂は単独で使用しても、２種類以上混合したポリマーアロイとしてもよい。
【００３５】
複合ステップカット形状などの合い口を有するシールリングの製造が容易であり低コストであることなどから、シールリングは、合成樹脂を射出成形してなる射出成形体にすることが好ましい。このため、合成樹脂としては、射出成形が可能である熱可塑性樹脂を用いることが好ましい。その中でも特に、耐摩耗性、シール性、耐熱性、耐久性、曲げ弾性率などに優れることから、ＰＥＥＫ樹脂、ＰＡＩ樹脂、またはＰＰＳ樹脂を用いることが好ましい。
【００３６】
また、必要に応じて上記合成樹脂に、炭素繊維、ガラス繊維、アラミド繊維などの繊維状補強材、球状シリカや球状炭素などの球状充填材、マイカやタルクなどの鱗状補強材、チタン酸カリウムウィスカなどの微小繊維補強材を配合できる。また、ＰＴＦＥ樹脂、グラファイト、二硫化モリブデンなどの固体潤滑剤、リン酸カルシウム、硫酸カルシウムなどの摺動補強材、カーボンブラックなども配合できる。これらは単独で配合することも、組み合せて配合することもできる。特に、ＰＥＥＫ樹脂、ＰＡＩ樹脂、またはＰＰＳ樹脂に、繊維状補強材である炭素繊維と、固体潤滑剤であるＰＴＦＥ樹脂とを含むものが、本発明のシールリングに要求される特性を得やすいので好ましい。炭素繊維を配合することで、曲げ弾性率などの機械的強度の向上が図れ、ＰＴＦＥ樹脂の配合により摺動特性の向上が図れる。
【００３７】
本発明のシールリングは、上述したように、はみ出し防止性と組み込み性を両立する必要があり、その曲げ弾性率は５０００〜１２０００ＭＰａであることが好ましい。より好ましくは、６０００〜９０００ＭＰａである。例えば、図６に示すように、シールリング１は治具４１を用いて拡径させた状態でバルブの環状溝に装着するため、曲げ弾性率が１２０００ＭＰａをこえると、環状溝への組み込み時の拡径で割れるおそれがある。一方、曲げ弾性率が５０００ＭＰａ未満であると、シールリング１にかかる圧力によって、過剰に拡径し、環状溝からはみ出すおそれがある。
【００３８】
射出成形体とする場合には、以上の諸原材料を溶融混練して成形用ペレットとし、これを用いて公知の射出成形法により所定形状に成形する。射出成形のゲート位置は特に限定されないが、シール性の確保の観点および後加工が不要になることからリング内周面側に設けた方が好ましい。
【００３９】
本発明のバタフライバルブは、上記シールリングを環状溝に備えるので、該バルブの開放時においてもシールリングを脱落させることなく、安定して使用できる。特に、バタフライバルブとして、最大で４０ｋＰａ程度の圧力が生じるＥＧＲバルブが好ましい。
【００４０】
本発明のバルブ装置は、本発明のシールリングと該シールリングが装着される略円板状のバタフライバルブとを備え、ハウジング内部でバタフライバルブが回動可能に設けられる。該バルブの開度を調整することで排気ガスなどの封止流体の量がコントロールされる。
【実施例】
【００４１】
図１および図２で示した形状のシールリングを用いて、はみ出し防止性と組み込み性の観点から、リング外径Ｒ1に対する径方向厚みｔの外径比（６％〜１２％）を検討した。リング外径Ｒ1が、Φ４０ｍｍのシールリング（表１参照）とΦ３５ｍｍのシールリングを対象とした（表２参照）。Φ４０ｍｍのシールリングは、バルブ外径ｒがΦ３９ｍｍのバタフライバルブに装着し、Φ３５ｍｍのシールリングは、バルブ外径ｒがΦ３４ｍｍのバタフライバルブに装着する態様とした。各シールリングに用いた合成樹脂はＰＥＥＫ樹脂であり、シールリングの曲げ弾性率（ＪＩＳ Ｋ７１７１）は７８００ＭＰａである。また、シールリングのリング幅ｗは１．７ｍｍとした。
【００４２】
外径比がそれぞれ異なったシールリングについて、表１および表２の各欄の数値を以下のようにして求めた。
（１）シールリングの曲げ弾性率や、該シールリングおよびバタフライバルブの各寸法から、バタフライバルブの外径からはみ出すリング外径を求めた。
（２）バタフライバルブの外径からはみ出すリング外径まで拡げられる圧力を求めた。
（３）シールリングを拡径させ、該シールリングが割れる（破壊される）際のリング内径を求めた。
【００４３】
【表１】
2019168012.tif 000003
【００４４】
【表２】
2019168012.tif 000004
【００４５】
はみ出し防止性について、ＥＧＲバルブでは最大で４０ｋＰａの圧力がシールリングにかかるため、上記（２）で求めた圧力値は４０ｋＰａ以上必要となる。実施例１〜５および実施例６〜１０のシールリングは、いずれも該圧力値が４０ｋＰａ以上となるため、バルブの環状溝からはみ出すおそれがない。この場合、各実施例において、４０ｋＰａの圧力条件下で拡径したリング内径は、バルブの外径よりも小さくなっている。一方、比較例１、３（外径比６％）のシールリングは、上記（２）で求めた圧力値が２２ｋＰａ、１６ｋＰａと、いずれも４０ｋＰａより小さいため、バルブの環状溝からはみ出すおそれがある。すなわち、外径比が７％よりも小さいとシールリングのはみ出し防止性が低下する。
【００４６】
組み込み性について、シールリングはバタフライバルブに組み込む際に、該バルブの外径以上に拡げる必要がある。そのため、上記（３）で求めたリング内径が、表１では３９ｍｍ以上、表２では３４ｍｍ以上必要となる。実施例１〜５および実施例６〜１０のシールリングは、上記数値範囲を満たすため、いずれも割れることなくバルブに組み込むことができる。一方、比較例２、４（外径比１２％）のシールリングは、上記数値範囲を満たさないため、環状溝への組み込み時にシールリングが割れるおそれがある。すなわち、外径比が１１％よりも大きいとシールリングの組み込み性が低下する。
【００４７】
以上より、シールリングにおいて、リングの径方向厚みのリング外径に対する比率を７〜１１％、好ましくは８〜１０％とすることで、はみ出し防止性と組み付け性を両立できる。
【産業上の利用可能性】
【００４８】
本発明のシールリングは、相手ハウジングの摩耗を抑制でき、また、環状溝からのはみ出しを防止でき、シールリングの本来の目的である低リーク性に優れているので、バルブの環状溝に装着されるシールリングとして広く使用でき、特に４０ｋＰａ程度の圧力がかかるＥＧＲバルブ用のシールリングに好適である。
【符号の説明】
【００４９】
１  シールリング
２  リング外周面
３  リング内周面
４  リング側面
５  肉ぬすみ部
６  合い口
７  段部
１１  バタフライバルブ
１２  環状溝
１３  ハウジング
１４  環状隙間
【図１】
2019168012.tif 000005
【図２】
2019168012.tif 000006
【図３】
2019168012.tif 000007
【図４】
2019168012.tif 000008
【図５】
2019168012.tif 000009
【図６】
2019168012.tif 000010
【図７】
2019168012.tif 000011